(57)【要約】【課題】ＬＡＮやインターネット上で映像データ、音声データをＩＰプロトコルによってデジタル多重パケット伝送する際に、各情報端末が接続される集中結線装置のポート別に帯域管理を行う構内通信システムを提供する。【解決手段】（１）住宅情報盤１ｈからゲートキーパー装置４に対して、送信元を示す住宅情報盤１ｈのＩＰアドレス（１９２．１６８．０．８）を含む音声通信要求コマンドを送信する。ゲートキーパー装置４は、（２）このＩＰアドレス（１９２．１６８．０．８）と、ポート／アドレス情報Ｔ２とを参照して、（３）住宅情報盤１ｈが接続しているポート３の使用通信帯域３００ｋｂｐｓ（今までの使用通信帯域：１５０ｋｂｐｓ＋今回の音声通信要求コマンドによる通信使用帯域：１５０ｋｂｐｓ）を記憶し、使用通信帯域３００ｋｂｐｓは閾値１．５Ｍｂｐｓ以下なので、（４）通信許可を住宅情報盤１ｈに送信する。【選択図】        図１
2004153342.tif 000002
【特許請求の範囲】
【請求項１】
建物構内に設けられたローカルネットワークを通じてＩＰプロトコルによって映像データ、音声データをデジタル多重パケット伝送する構内通信システムにおいて、固有のアドレスを有する情報端末と、ネットワークの通信帯域の管理を行うゲートキーパー装置と、情報端末及びゲートキーパー装置が接続された複数のポートを有し、各ポートで受信した信号に含まれる送信元の情報端末のアドレスより、各ポ−トと各ポートに接続した情報端末のアドレスとを対応させたポート／アドレス情報を記憶して、各ポートで受信した信号に含まれる宛先の情報端末のアドレスとポート／アドレス情報とをもとに、宛先の情報端末が接続されたポートにのみ信号を送出する集中結線装置とから構成され、ゲートキーパー装置は、集中結線装置からポート／アドレス情報を取得して記憶部に登録する情報登録手段と、通信を行う情報端末のアドレスを含む通信要求コマンドまたは通信終了コマンドを情報端末から受信した場合に、通信を行う情報端末のアドレスとポート／アドレス情報とをもとに、ポート別に使用通信帯域を記憶する帯域記憶手段とを備えることを特徴とする構内通信システム。
【請求項２】
前記ゲートキーパー装置は、集中結線装置を介して全情報端末に対して生存確認コマンドを一定間隔で送信する生存確認送信手段を備え、前記情報端末は、生存確認コマンドを受信したときに自端末のアドレスを送信元アドレスとした応答コマンドを集中結線装置を介して返信する応答送信手段を備え、前記集中結線装置は、各ポートで受信した応答コマンドに含まれる送信元の情報端末のアドレスより、記憶しているポート／アドレス情報を更新し、前記ゲートキーパー装置の情報登録手段は、集中結線装置から更新したポート／アドレス情報を取得して記憶部に登録することを特徴とする請求項１記載の構内通信システム。
【請求項３】
前記ゲートキーパー装置は、通信を行う情報端末のアドレスを含む通信要求コマンドを情報端末から受けた場合に、通信を行う情報端末が接続されるポートの今回の通信要求コマンドによる通信を含めた使用通信帯域と予め設定されている該ポートの閾値とを比較する比較手段と、前記使用通信帯域が閾値を超える場合は今回の通信要求コマンドによる情報端末の通信を拒否する通信拒否手段とを備えることを特徴とする請求項１または２記載の構内通信システム。
【請求項４】
前記ゲートキーパー装置は、通信を拒否された情報端末に拒否通知を伝達する通信拒否報知手段と、通信を拒否された情報端末が接続しているポートの使用通信帯域を管理し、使用通信帯域と該ポートの閾値とを比較して通信可能と判断した場合は通信を拒否された情報端末に通信可能通知を伝達する通信可能報知手段とを備えることを特徴とする請求項３記載の構内通信システム。
【発明の詳細な説明】
【０００１】
【発明の属する技術分野】
本発明は、ＬＡＮ（Ｌｏｃａｌ  Ａｒｅａ  Ｎｅｔｗｏｒｋ）上で映像、音声をＩＰプロトコルによって、デジタル多重パケット伝送する構内通信システムに関するものである。
【０００２】
【従来の技術】
従来の構内通信システムの例としてマンションＨＡシステムについて説明する。従来のシステムは、図７に示すように、１０／１００ＭｂｐｓのＥｔｈｅｒｎｅｔ（Ｒ）を用いたＬＡＮ上で映像データ、音声データをＩＰプロトコルによってデジタル多重パケット伝送するもので、映像、音声のデータ通信を行う情報端末（住宅情報盤１ａ〜１ｌ、ロビーインターホン１ｍ、監視カメラ１ｎ）と、ネットワークの通信帯域の管理を行うゲートキーパー装置１０４とが配置され、情報端末やゲートキーパー装置１０４が接続されてデータの中継を行う集中結線装置として住宅情報盤１ａ〜１ｃがポートに各々接続されるハブ２ａと、住宅情報盤１ｄ〜１ｆがポートに各々接続されるハブ２ｂと、住宅情報盤１ｇ〜１ｉがポートに各々接続されるハブ２ｃと、住宅情報盤１ｊ〜１ｌがポートに各々接続されるハブ２ｄと、ロビーインターホン１ｍ及び監視カメラ１ｎがポートに各々接続されるハブ２ｅと、ハブ２ａ〜２ｅ及びゲートキーパー装置１０４がポートに各々接続されるＬＡＮスイッチ３とが用いられている。
【０００３】
次に図８に示すように、音声通信の使用帯域が１５０ｋｂｐｓ、映像通信の使用帯域が１Ｍｂｐｓであって、ゲートキーパー装置１０４は、ネットワークの使用可能な通信帯域の閾値１．５Ｍｂｐが予め設定されている場合のシステムの動作について説明する。まず住宅情報盤１ａ（ＩＰアドレス（１９２．１６８．０．１））と住宅情報盤１ｂ（ＩＰアドレス（１９２．１６８．０．２））とが互いに音声通信する場合、（３１）ゲートキーパー装置１０４に音声通信要求コマンドを送信することにより、ゲートキーパー装置１０４は、今回の音声通信要求コマンドによるネットワークの使用通信帯域１５０ｋｂｐｓを閾値１．５Ｍｂｐｓと比較する。使用通信帯域１５０ｋｂｐｓは閾値１．５Ｍｂｐｓ以下なので、ゲートキーパー装置１０４は、（３２）通信許可コマンドを住宅情報盤１ａ，１ｂに送信し、住宅情報盤１ａ，１ｂは互いに通信可能となる。
【０００４】
続いて、ロビーインターホン１ｍ（ＩＰアドレス（１９２．１６８．０．１０））と住宅情報盤１ｃ（ＩＰアドレス（１９２．１６８．０．３））とが互いに映像・音声通信する場合、（３３）ゲートキーパー装置１０４に映像・音声通信要求コマンドを送信することにより、ゲートキーパー装置１０４は、今回の映像・音声通信要求コマンドによる通信を含むネットワークの使用通信帯域１．３Ｍｂｐｓ（＝１５０ｋｂｐｓ＋１Ｍｂｐｓ＋１５０ｋｂｐｓ）を閾値１．５Ｍｂｐｓと比較する。使用通信帯域１．３Ｍｂｐｓは閾値１．５Ｍｂｐｓ以下なので、ゲートキーパー装置１０４は、（３４）通信許可コマンドをロビーインターホン１ｍ，住宅情報盤１ｃに送信し、ロビーインターホン１ｍと住宅情報盤１ｃとは互いに通信可能となる。
【０００５】
さらに、監視カメラ１ｎ（ＩＰアドレス（１９２．１６８．０．１１））と住宅情報盤１ｄ（ＩＰアドレス（１９２．１６８．０．４））とが互いに映像・音声通信する場合、（３５）ゲートキーパー装置１０４に映像・音声通信要求コマンドを送信することにより、ゲートキーパー装置１０４は、今回の映像・音声通信要求コマンドによる通信を含むネットワークの使用通信帯域２．４５Ｍｂｐｓ（＝１５０ｋｂｐｓ＋１Ｍｂｐｓ＋１５０ｋｂｐｓ＋１５０ｋｂｐｓ＋１Ｍｂｐｓ）を閾値１．５Ｍｂｐｓと比較する。使用通信帯域２．４５Ｍｂｐｓは閾値１．５Ｍｂｐｓ以上なので、ゲートキーパー装置１０４は、（３６）通信拒否コマンドを監視カメラ１ｎ，住宅情報盤１ｄに送信し、監視カメラ１ｎと住宅情報盤１ｄとは互いに通信不可能となる。
【０００６】
別の従来例として図９に示す構内通信システムは、集中結線装置としてレイヤ３スイッチ５を用い、レイヤ３スイッチ５のポート１〜ポート４に住宅情報盤１ａ〜１ｄ（ＩＰアドレス（１９２．１６８．０．１〜１９２．１６８．０．４））を接続し、ポート５にロビーインターホン１ｏ（ＩＰアドレス（１９２．１６８．０．５））を接続し、ポート８にゲートキーパー装置１０４（ＩＰアドレス（１９２．１６８．０．８））を接続する。
【０００７】
レイヤ３スイッチ５は、自動記憶手段（自動アドレス学習機能）を有しており、情報端末からの映像・音声データを受信した場合、受信したポート番号、及びその送信データに含まれる送信元アドレス（ＩＰアドレス）より、各ポート番号と各ポートに接続された情報端末のアドレス情報（ＩＰアドレス）とを対にして、ポート／アドレス情報Ｔ１０として記憶する。以降、このポート／アドレス情報Ｔ１０を参照して、ポート／アドレス情報Ｔ１０に記憶されたアドレス宛のデータを受信した場合は、宛先アドレスの情報端末が接続したポートのみにデータを送出することで通信帯域を有効に活用することができる。
【０００８】
例えば、住宅情報盤１ｄから住宅情報盤１ｂに音声データＤ１０（宛先アドレス（１９２．１６８．０．２），送信元アドレス（１９２．１６８．０．４））を送信した場合、レイヤ３スイッチ５は音声データＤ１０の送信元アドレスより、ポート４に接続されている情報端末のＩＰアドレスは（１９２．１６８．０．４）であると認識し、ポート／アドレス情報Ｔ１０では、ポート４に対応してＩＰアドレス（１９２．１６８．０．４）を記憶する。
【０００９】
また、ロビーインターホン１ｏから住宅情報盤１ａに映像データＤ１１（宛先アドレス（１９２．１６８．０．１），送信元アドレス（１９２．１６８．０．５））を送信した場合、レイヤ３スイッチ５はポート／アドレス情報Ｔ１０を参照して、宛先アドレス（１９２．１６８．０．１）の情報端末が接続したポート１にのみ映像データＤ１１を送出する。（例えば、特許文献１参照。）。
【００１０】
【特許文献１】
特開２００２−０６４５５３号公報（４頁左欄第５行〜右欄第５０行、図１〜図３）
【００１１】
【発明が解決しようとする課題】
しかし、ゲートキーパー装置１０４は、レイヤ３スイッチ５のどのポートにどの情報端末が接続されているかまで分らないため、ネットワーク全体に対してしか帯域管理を行うことができず、帯域を有効に活用できないという問題があった。
【００１２】
本発明は、上記事由に鑑みてなされたものであり、その目的は、ＬＡＮやインターネット上で映像データ、音声データをＩＰプロトコルによってデジタル多重パケット伝送する際に、各情報端末が接続される集中結線装置のポート別に帯域管理を行う構内通信システムを提供することにある。
【００１３】
【課題を解決するための手段】
請求項１の発明は、建物構内に設けられたローカルネットワークを通じてＩＰプロトコルによって映像データ、音声データをデジタル多重パケット伝送する構内通信システムにおいて、固有のアドレスを有する情報端末と、ネットワークの通信帯域の管理を行うゲートキーパー装置と、情報端末及びゲートキーパー装置が接続された複数のポートを有し、各ポートで受信した信号に含まれる送信元の情報端末のアドレスより、各ポ−トと各ポートに接続した情報端末のアドレスとを対応させたポート／アドレス情報を記憶して、各ポートで受信した信号に含まれる宛先の情報端末のアドレスとポート／アドレス情報とをもとに、宛先の情報端末が接続されたポートにのみ信号を送出する集中結線装置とから構成され、ゲートキーパー装置は、集中結線装置からポート／アドレス情報を取得して記憶部に登録する情報登録手段と、通信を行う情報端末のアドレスを含む通信要求コマンドまたは通信終了コマンドを情報端末から受信した場合に、通信を行う情報端末のアドレスとポート／アドレス情報とをもとに、ポート別に使用通信帯域を記憶する帯域記憶手段とを備えることを特徴とする。
【００１４】
請求項２の発明は、請求項１において、前記ゲートキーパー装置は、集中結線装置を介して全情報端末に対して生存確認コマンドを一定間隔で送信する生存確認送信手段を備え、前記情報端末は、生存確認コマンドを受信したときに自端末のアドレスを送信元アドレスとした応答コマンドを集中結線装置を介して返信する応答送信手段を備え、前記集中結線装置は、各ポートで受信した応答コマンドに含まれる送信元の情報端末のアドレスより、記憶しているポート／アドレス情報を更新し、前記ゲートキーパー装置の情報登録手段は、集中結線装置から更新したポート／アドレス情報を取得して記憶部に登録することを特徴とする。
【００１５】
請求項３の発明は、請求項１または２において、前記ゲートキーパー装置は、通信を行う情報端末のアドレスを含む通信要求コマンドを情報端末から受けた場合に、通信を行う情報端末が接続されるポートの今回の通信要求コマンドによる通信を含めた使用通信帯域と予め設定されている該ポートの閾値とを比較する比較手段と、前記使用通信帯域が閾値を超える場合は今回の通信要求コマンドによる情報端末の通信を拒否する通信拒否手段とを備えることを特徴とする。
【００１６】
請求項４の発明は、請求項３において、前記ゲートキーパー装置は、通信を拒否された情報端末に拒否通知を伝達する通信拒否報知手段と、通信を拒否された情報端末が接続しているポートの使用通信帯域を管理し、使用通信帯域と該ポートの閾値とを比較して通信可能と判断した場合は通信を拒否された情報端末に通信可能通知を伝達する通信可能報知手段とを備えることを特徴とする。
【００１７】
【発明の実施の形態】
以下、本発明の実施の形態を図面に基づいて説明する。
【００１８】
本実施形態の構内通信システムの例としてマンションＨＡシステムを用いて説明する。本実施形態のシステムは、図１に示すように、１０／１００ＭｂｐｓのＥｔｈｅｒｎｅｔ（Ｒ）を用いたＬＡＮ上で映像データ、音声データをＩＰプロトコルによってデジタル多重パケット伝送するもので、映像、音声のデータ通信を行う情報端末（住宅情報盤１ａ〜１ｉ、ロビーインターホン１ｍ、監視カメラ１ｎ）と、ネットワークの通信帯域の管理を行うゲートキーパー装置４とが配置されており、住宅情報盤１ａ〜１ｉはＩＰアドレス（１９２．１６８．０．１〜１９２．１６８．０．９）を各々有し、ロビーインターホン１ｍはＩＰアドレス（１９２．１６８．０．１０）を有し、監視カメラ１ｎはＩＰアドレス（１９２．１６８．０．１１）を有している。
【００１９】
そして、情報端末やゲートキーパー装置４が接続されてデータの中継を行う集中結線装置として、住宅情報盤１ａ〜１ｃがポートに各々接続されるハブ２ａと、住宅情報盤１ｄ〜１ｆがポートに各々接続されるハブ２ｂと、住宅情報盤１ｇ〜１ｉがポートに各々接続されるハブ２ｃと、ロビーインターホン１ｍ及び監視カメラ１ｎがポートに各々接続されるハブ２ｄと、ハブ２ａ〜２ｄ及びゲートキーパー装置４がポートに各々接続されるレイヤ３スイッチ５とが用いられている。レイヤ３スイッチ５のポート１〜ポート３にはハブ２ａ〜２ｃが各々接続し、ポート４にはゲートキーパー装置４が接続し、ポート５にはハブ２ｄが接続している。
【００２０】
図２は、情報端末１（住宅情報盤１ａ〜１ｉ、ロビーインターホン１ｍ、監視カメラ１ｎ）の構成を示しており、制御部１０、記憶部１１、操作部１２、Ｅｔｈｅｒｎｅｔ（Ｒ）インターフェース１３、映像入力部１４、映像出力部１５、映像処理部１６、音声入力部１７、音声出力部１８、音声処理部１９から構成される。
【００２１】
制御部１０は、映像・音声データのパケット／アンパケット化、及び各処理部の統括を行い、記憶部１１は、映像・音声データ、自端末のＩＰアドレス、ゲートキーパー装置４のＩＰアドレスの保存を行い、操作部１２は、ＩＰアドレスの設定や、他の端末と通信する際の指定を行う。Ｅｔｈｅｒｎｅｔ（Ｒ）インターフェース１３は、他の端末との間で映像・音声データ、各種コマンドのパケット送受信を行う。映像入力部１４は、カメラ等によるアナログ映像信号の入力を行い、映像出力部１５は、アナログ映像信号を出力してモニタ等による映像表示を行い、映像処理部１６は、映像入力部１４から入力されたアナログ映像信号のＡ／Ｄ変換、符号化、及びＥｔｈｅｒｎｅｔ（Ｒ）インターフェース１３より受信した映像データの複合化、Ｄ／Ａ変換によるアナログ映像信号への変換を行う。音声入力部１７は、マイク等によるアナログ音声信号の入力を行い、音声出力部１８は、アナログ音声信号を出力してスピーカ等による音声出力を行い、音声処理部１９は、音声入力部１７から入力されたアナログ音声信号のＡ／Ｄ変換、符号化、及びＥｔｈｅｒｎｅｔ（Ｒ）インターフェース１３より受信した音声データの複合化、Ｄ／Ａ変換によるアナログ音声信号への変換を行う。
【００２２】
図３は、ゲートキーパー装置４の構成を示しており、制御部４０、記憶部４１、操作部４２、Ｅｔｈｅｒｎｅｔ（Ｒ）インターフェース４３、映像出力部４４、映像処理部４５から構成される。
【００２３】
制御部４０は、各端末のポート／アドレス情報の登録、ネットワークの帯域管理、各処理部の統括を行い、記憶部４１は、自端末のＩＰアドレス、全情報端末のポート／アドレス情報の保存を行い、操作部４２は、自端末のＩＰアドレスや全情報端末のポート／アドレス情報の設定等を行う。Ｅｔｈｅｒｎｅｔ（Ｒ）インターフェース４３は、他の端末との間で、通信要求／通信許可／通信拒否／ＧＥＴリクエスト／ＧＥＴレスポンス／状態確認／応答のパケット送受信を行う。映像出力部４４は、アナログ映像信号を出力してモニタ等による映像表示を行い、映像処理部４５は、記憶部４１からの各種映像データの複合化、Ｄ／Ａ変換によるアナログ映像信号への変換を行う。
【００２４】
ここで、各端末を接続するハブ２ａ〜２ｄ、レイヤ３スイッチ５等の集中結線装置はＥｔｈｅｒｎｅｔ（Ｒ）によるＬＡＮ等で一般的に用いられているものであり、周知の技術であるため説明は省略する。
【００２５】
また、図１のシステム構成でネットワークを１０／１００ＭｂｐｓのＥｔｈｅｒｎｅｔ（Ｒ）としているが、必要に応じて１ＧｂｐｓのＥｔｈｅｒｎｅｔ（Ｒ）や、集中結線装置（ハブ）を必要としないバス配線が可能なＨｏｍｅＰＮＡ２．０（１０Ｍｂｐｓ）等に変更してもよい。
【００２６】
次に図１を用いて本願発明の構内通信システムの基本動作について説明する。各情報端末はゲートキーパー装置４に対して、他の情報端末と通信を行う前に送信元アドレスとして自アドレスを設定した通信要求コマンドを送信し、通信を終了する際には送信元アドレスとして自アドレスを設定した通信終了コマンドを送信する。
【００２７】
レイヤ３スイッチ５は、従来例と同様に自動記憶手段（自動アドレス学習機能）を有しており、映像・音声データを受信した場合、受信したポート番号、及びその送信データに含まれる送信元アドレス（ＩＰアドレス）より、各ポート番号と各ポートに接続された情報端末の各アドレス情報（ＩＰアドレス）とを対にして、ポート／アドレス情報Ｔ１として記憶する。以降、このポート／アドレス情報Ｔ１を参照して、ポート／アドレス情報Ｔ１に記憶されたアドレス宛のデータをレイヤ３スイッチ５が受信した場合は、宛先アドレスの情報端末が接続したポートのみにデータを送出することで通信帯域を有効に活用することができる。
【００２８】
ゲートキーパー装置４は、レイヤ３スイッチ５からポート４を介しポート／アドレス情報Ｔ１を取得してポート／アドレス情報Ｔ２として記憶部４１に登録し、情報端末から送信される通信要求コマンドまたは通信終了コマンドに含まれる送信元アドレスと、ポート／アドレス情報Ｔ２とをもとにポート別に使用している通信帯域を記憶、管理するもので、各ポート毎に使用可能な通信帯域の閾値１．５Ｍｂｐｓを予め設定されている。なお、音声通信の使用帯域を１５０ｋｂｐｓ、映像通信の使用帯域を１Ｍｂｐｓとする。
【００２９】
今、住宅情報盤１ｂ，１ｃ間、及び住宅情報盤１ａ，１ｇ間で音声通信を行い、ロビーインターホン１ｍと住宅情報盤１ｅとの間で映像・音声通信を行っており、各ポート毎の使用通信帯域は、ポート１では３００ｋｂｐｓ（＝１５０ｋｂｐｓ＋１５０ｋｂｐｓ）、ポート２では１．１５Ｍｂｐｓ（＝１Ｍｂｐｓ＋１５０ｋｂｐｓ）、ポート３では１５０ｋｂｐｓ、ポート４では１．１５Ｍｂｐｓ（＝１Ｍｂｐｓ＋１５０ｋｂｐｓ）となっている。
【００３０】
この状態で、住宅情報盤１ｈが住宅情報盤１ｉに対して音声通信を行う場合、まず（１）住宅情報盤１ｈからゲートキーパー装置４に対して音声通信要求コマンドを送信する。この音声通信要求コマンドには送信元を示す住宅情報盤１ｈのＩＰアドレス（１９２．１６８．０．８）が含まれており、ゲートキーパー装置４は、（２）このＩＰアドレス（１９２．１６８．０．８）と、ポート／アドレス情報Ｔ２とを参照して、（３）ＩＰアドレス（１９２．１６８．０．８）を有する住宅情報盤１ｈが接続しているポート３の使用通信帯域３００ｋｂｐｓ（今までの使用通信帯域：１５０ｋｂｐｓ＋今回の音声通信要求コマンドによる通信使用帯域：１５０ｋｂｐｓ）を記憶し、このポート３の使用通信帯域３００ｋｂｐｓとポート３の閾値１．５Ｍｂｐｓとを比較する。使用通信帯域３００ｋｂｐｓは閾値１．５Ｍｂｐｓ以下なので、ゲートキーパー装置４は、（４）通信許可を住宅情報盤１ｈに送信し、住宅情報盤１ｈは通信可能となる。このように、ゲートキーパー装置４はポート毎の使用通信帯域を記憶し、管理している。
【００３１】
住宅情報盤１ｉも同様にゲートキーパー装置４によって通信使用帯域の記憶、管理をされており、住宅情報盤１ｉに対しても通信許可が送信されれば、住宅情報盤１ｈ，１ｉ間で通信を行うことができる。
【００３２】
次に図４を用いて、ゲートキーパー装置４が、レイヤ３スイッチ５からポート／アドレス情報Ｔ１を取得してポート／アドレス情報Ｔ２として登録する動作について説明する。図４に示すシステム構成は図１と同様であり、同様の構成には同一の符号を付して説明は省略する。ゲートキーパー装置４、及びレイヤ３スイッチ５はＳＮＭＰ（Ｓｉｍｐｌｅ  Ｎｅｔｗｏｒｋ  Ｍａｎａｇｅｍｅｎｔ  Ｐｒｏｔｏｃｏｌ）をサポートしており、ゲートキーパー装置４はレイヤ３スイッチ５に対し、（１１）ＧＥＴリクエストコマンドによりポート／アドレス情報Ｔ１の取得を要求し、レイヤ３スイッチ５はゲートキーパー装置４に対し、（１２）ＧＥＴレスポンスコマンドによりポート／アドレス情報Ｔ１を報告する。このようにＳＮＭＰの通信手順を用いて、ゲートキーパー装置４はレイヤ３スイッチ５からポート／アドレス情報Ｔ１を自動的に取得し、ポート／アドレス情報Ｔ２として記憶部４１に登録することができる。
【００３３】
次に図５を用いて、レイヤ３スイッチ５のポート／アドレス情報Ｔ１の更新動作について説明する。図５に示すシステム構成は図１と同様であり、同様の構成には同一の符号を付して説明は省略する。まずゲートキーパー装置４は、定期的にＴＴＬ（Ｔｉｍｅ  Ｔｏ  ａＬｉｖｅ）シーケンスとして、（２１）宛先の情報端末のＩＰアドレスを含む状態確認コマンドを、レイヤ３スイッチ５を介して全情報端末に対して送信する。状態確認コマンドを受信した情報端末は、（２２）自端末のアドレスを送信元アドレスとした応答コマンドをレイヤ３スイッチ５を介してゲートキーパー装置４に返信する。
【００３４】
そしてレイヤ３スイッチ５は、応答コマンドを受信した場合、受信したポート番号、及びその応答コマンドに含まれる送信元アドレスより、各ポート番号と各ポートに接続された情報端末の各アドレス情報（ＩＰアドレス）とを対にして、ポート／アドレス情報Ｔ１として記憶することで、ポート／アドレス情報Ｔ１を定期的に更新している。
【００３５】
上記ＴＴＬシーケンスの終了後、ゲートキーパー装置４は、実施形態１と同様にＳＮＭＰの通信手順を用いてレイヤ３スイッチ５からポート／アドレス情報Ｔ１を自動的に取得し、ポート／アドレス情報Ｔ２として記憶部４１に登録することで、ポート／アドレス情報Ｔ２を定期的に最新の情報に更新している。
【００３６】
次に図６を用いて、レイヤ３スイッチ５のポートの使用通信帯域が、各ポート毎の閾値１．５Ｍｂｐｓを超えた場合の動作について説明する。図６に示すシステム構成は図１と同様であり、同様の構成には同一の符号を付して説明は省略する。今、住宅情報盤１ｂ，１ｃ間、住宅情報盤１ａ，１ｇ間、及び住宅情報盤１ｈ，１ｉ間で音声通信を行い、ロビーインターホン１ｍと住宅情報盤１ｅとの間で映像・音声通信を行っており、各ポート毎の使用通信帯域は、ポート１では３００ｋｂｐｓ（＝１５０ｋｂｐｓ＋１５０ｋｂｐｓ）、ポート２では１．１５Ｍｂｐｓ（＝１Ｍｂｐｓ＋１５０ｋｂｐｓ）、ポート３では３００ｋｂｐｓ（＝１５０ｋｂｐｓ＋１５０ｋｂｐｓ）、ポート４では１．１５Ｍｂｐｓ（＝１Ｍｂｐｓ＋１５０ｋｂｐｓ）となっている。
【００３７】
この状態で、住宅情報盤１ｄと監視カメラ１ｎとの間で映像通信を行おうとすると、まず（１）住宅情報盤１ｄからゲートキーパー装置４に対して映像通信要求コマンドを送信する。この映像通信要求コマンドには送信元を示す住宅情報盤１ｄのＩＰアドレス（１９２．１６８．０．４）が含まれており、ゲートキーパー装置４は、（２）このＩＰアドレス（１９２．１６８．０．４）と、ポート／アドレス情報Ｔ２とを参照して、（３）ＩＰアドレス（１９２．１６８．０．４）を有する住宅情報盤１ｄが接続しているポート２の使用通信帯域２．１５Ｍｂｐｓ（今までの使用通信帯域：１．１５Ｍｂｐｓ＋今回の映像通信要求コマンドによる通信使用帯域：１Ｍｂｐｓ）を記憶し、このポート２の使用通信帯域２．１５Ｍｂｐｓとポート２の閾値１．５Ｍｂｐｓとを比較する。使用通信帯域２．１５Ｍｂｐｓは閾値１．５Ｍｂｐｓ以上なので、ゲートキーパー装置４は、（４）通信拒否を住宅情報盤１ｄに送信し、住宅情報盤１ｄと監視カメラ１ｎとは通信不可能となる。このように、ゲートキーパー装置４はポート毎の使用通信帯域を制限している。
【００３８】
そして、ポート２の使用通信帯域が、映像通信の使用帯域１Ｍｂｐｓを加えても閾値１．５Ｍｂｐｓ以下となる数値にまで減少すると（すなわち使用帯域５００ｋｂｐｓ以下になると）、ゲートキーパー装置４は通信可能であると判断して通信許可を住宅情報盤１ｄに送信し、住宅情報盤１ｄは通信可能となる。
【００３９】
なお、本実施形態では、ゲートキーパー装置４で管理するアドレスの例として、ＩＰアドレスを挙げたが、ＭＡＣアドレスであってもよい。
【００４０】
【発明の効果】
請求項１の発明は、建物構内に設けられたローカルネットワークを通じてＩＰプロトコルによって映像データ、音声データをデジタル多重パケット伝送する構内通信システムにおいて、固有のアドレスを有する情報端末と、ネットワークの通信帯域の管理を行うゲートキーパー装置と、情報端末及びゲートキーパー装置が接続された複数のポートを有し、各ポートで受信した信号に含まれる送信元の情報端末のアドレスより、各ポ−トと各ポートに接続した情報端末のアドレスとを対応させたポート／アドレス情報を記憶して、各ポートで受信した信号に含まれる宛先の情報端末のアドレスとポート／アドレス情報とをもとに、宛先の情報端末が接続されたポートにのみ信号を送出する集中結線装置とから構成され、ゲートキーパー装置は、集中結線装置からポート／アドレス情報を取得して記憶部に登録する情報登録手段と、通信を行う情報端末のアドレスを含む通信要求コマンドまたは通信終了コマンドを情報端末から受信した場合に、通信を行う情報端末のアドレスとポート／アドレス情報とをもとに、ポート別に使用通信帯域を記憶する帯域記憶手段とを備えるので、ネットワーク全体として集中結線装置のポート数に比例した通信帯域を確保でき、通信帯域の拡大を図ることができるという効果がある。さらにゲートキーパー装置にポートアドレス情報を自動で設定することができ、手動で設定する手間を省くことができる。
【００４１】
請求項２の発明は、請求項１において、前記ゲートキーパー装置は、集中結線装置を介して全情報端末に対して生存確認コマンドを一定間隔で送信する生存確認送信手段を備え、前記情報端末は、生存確認コマンドを受信したときに自端末のアドレスを送信元アドレスとした応答コマンドを集中結線装置を介して返信する応答送信手段を備え、前記集中結線装置は、各ポートで受信した応答コマンドに含まれる送信元の情報端末のアドレスより、記憶しているポート／アドレス情報を更新し、前記ゲートキーパー装置の情報登録手段は、集中結線装置から更新したポート／アドレス情報を取得して記憶部に登録するので、全情報端末のポート／アドレス情報を確実に取得することができ、情報端末の追加、削除にも対応できるという効果がある。
【００４２】
請求項３の発明は、請求項１または２において、前記ゲートキーパー装置は、通信を行う情報端末のアドレスを含む通信要求コマンドを情報端末から受けた場合に、通信を行う情報端末が接続されるポートの今回の通信要求コマンドによる通信を含めた使用通信帯域と予め設定されている該ポートの閾値とを比較する比較手段と、前記使用通信帯域が閾値を超える場合は今回の通信要求コマンドによる情報端末の通信を拒否する通信拒否手段とを備えるので、通信可能な端末の数を制限することができ、ネットワークの輻輳を回避することができるという効果がある。
【００４３】
請求項４の発明は、請求項３において、前記ゲートキーパー装置は、通信を拒否された情報端末に拒否通知を伝達する通信拒否報知手段と、通信を拒否された情報端末が接続しているポートの使用通信帯域を管理し、使用通信帯域と該ポートの閾値とを比較して通信可能と判断した場合は通信を拒否された情報端末に通信可能通知を伝達する通信可能報知手段とを備えるので、情報端末側で通信の可否を認識して、状況に応じた対応を行うことができるという効果がある。
【図面の簡単な説明】
【図１】本発明の実施形態の構内通信システムの構成，通信帯域管理の基本動作を示す図である。
【図２】同上の情報端末の構成を示す図である。
【図３】同上のゲートキーパー装置の構成を示す図である。
【図４】同上のＳＮＭＰによるポート／アドレス情報の自動登録手順を示す図である。
【図５】同上のＴＴＬシーケンスによるポート／アドレス情報の更新手順を示す図である。
【図６】同上の通信拒否手順を示す図である。
【図７】従来の構内通信システムの第１の構成を示す図である。
【図８】同上の通信帯域管理動作を示す図である。
【図９】従来の構内通信システムの第２の構成，通信帯域管理動作を示す図である。
【符号の説明】
１ａ〜１ｉ  住宅情報盤
１ｍ  ロビーインターホン
１ｎ  監視カメラ
２ａ〜２ｄ  ハブ
４  ゲートキーパー装置
５  レイヤ３スイッチ
Ｔ１，Ｔ２  ポート／アドレス情報
【図１】
2004153342.tif 000003
【図２】
2004153342.tif 000004
【図３】
2004153342.tif 000005
【図４】
2004153342.tif 000006
【図５】
2004153342.tif 000007
【図６】
2004153342.tif 000008
【図７】
2004153342.tif 000009
【図８】
2004153342.tif 000010
【図９】
2004153342.tif 000011